(57)【要約】【課題】検査効率を向上させると共に故障を防止する。【解決手段】回路基板の各導体パターンにおける複数の検査ポイントにそれぞれ接触しているプローブ３１を介しての各導体パターンに対する検査用信号（Ｓｉ，Ｓｖ）の供給を制御する制御部９と、導体パターンの導通検査および導体パターンの絶縁検査を実行する検査部７とを備え、制御部９は、絶縁検査の実行時において、導通検査で導通状態が良好と判定された導体パターンについては導体パターンの各検査ポイントにそれぞれ接触している各プローブ３１の一部だけを介して検査用信号を供給させると共に、導通検査で導通状態が不良と判定された導体パターンについては導体パターンの各検査ポイントにそれぞれ接触している各プローブ３１の全てを介して検査用信号を供給させる。【選択図】図１
2014202706.tif 000002
【特許請求の範囲】
【請求項１】
複数の導体パターンを有する回路基板の当該各導体パターンにおける予め規定された複数の検査ポイントにそれぞれ接触しているプローブを介しての当該各導体パターンに対する信号出力部からの検査用信号の供給を制御する制御部と、前記プローブを介して前記検査用信号が前記導体パターンに供給されている状態で検出される物理量に基づいて当該導体パターンの導通検査および当該導体パターンの絶縁検査を実行する検査部とを備えた基板検査装置であって、
前記制御部は、前記絶縁検査の実行時において、前記導通検査で導通状態が良好と判定された前記導体パターンについては当該導体パターンの前記各検査ポイントにそれぞれ接触している前記各プローブの一部だけを供給対象として当該一部のプローブを介して前記検査用信号を供給させると共に、前記導通検査で導通状態が不良と判定された前記導体パターンについては当該導体パターンの前記各検査ポイントにそれぞれ接触している前記各プローブの全てを供給対象として当該全てのプローブを介して前記検査用信号を供給させる基板検査装置。
【請求項２】
前記制御部は、前記絶縁検査の実行時において、前記導通検査で導通状態が良好と判定された前記導体パターンの各検査ポイントに接触している各プローブの１つだけを前記供給対象として当該１つのプローブを介して前記検査用信号を供給させる請求項１記載の基板検査装置。
【請求項３】
前記制御部は、前記絶縁検査の実行時において、前記各導体パターンの中から選択した１つの導体パターンにおける前記供給対象のプローブを同電位とした状態で前記検査用信号の低電位および高電位の一方に当該プローブを接続させて当該検査用信号を供給させると共に、前記選択対象の導体パターンを除く他の全ての導体パターンにおける前記供給対象のプローブを同電位とした状態で前記低電位および前記高電位の他方に接続させて前記検査用信号を供給させる接続処理を当該選択対象の導体パターンを変更しつつ実行する請求項１または２記載の基板検査装置。
【請求項４】
複数の導体パターンを有する回路基板の当該各導体パターンにおける予め規定された複数の検査ポイントにそれぞれ接触しているプローブを介しての当該各導体パターンに対する信号出力部からの検査用信号の供給を制御し、前記プローブを介して前記検査用信号が前記導体パターンに供給されている状態で検出される物理量に基づいて当該導体パターンの導通検査および当該導体パターンの絶縁検査を実行する基板検査方法であって、
前記絶縁検査の実行時において、前記導通検査で導通状態が良好と判定した前記導体パターンについては当該導体パターンの前記各検査ポイントにそれぞれ接触している前記各プローブの一部だけを供給対象として当該一部のプローブを介して前記検査用信号を供給させると共に、前記導通検査で導通状態が不良と判定した前記導体パターンについては当該導体パターンの前記各検査ポイントにそれぞれ接触している前記各プローブの全てを供給対象として当該全てのプローブを介して前記検査用信号を供給させる基板検査方法。
【請求項５】
前記絶縁検査の実行時において、前記導通検査で導通状態が良好と判定した前記導体パターンの各検査ポイントに接触している各プローブの１つだけを前記供給対象として当該１つのプローブを介して前記検査用信号を供給させる請求項４記載の基板検査方法。
【請求項６】
前記絶縁検査の実行時において、前記各導体パターンの中から選択した１つの導体パターンにおける前記供給対象のプローブを同電位とした状態で前記検査用信号の低電位および高電位の一方に当該プローブを接続させて当該検査用信号を供給させると共に、前記選択対象の導体パターンを除く他の全ての導体パターンにおける前記供給対象のプローブを同電位とした状態で前記低電位および前記高電位の他方に接続させて前記検査用信号を供給させる接続処理を当該選択対象の導体パターンを変更しつつ実行する請求項４または５記載の基板検査方法。
【発明の詳細な説明】
【技術分野】
【０００１】
本発明は、複数の導体パターンを有する回路基板における各導体パターンの導通状態および絶縁状態を検査する基板検査装置および基板検査方法に関するものである。
【背景技術】
【０００２】
この種の基板検査装置として、特開２００１−６６３５１号公報に開示された回路基板検査装置が知られている。この回路基板検査装置は、複数のプローブを有するフィクスチャおよび接続計測部を備えて、回路基板における各導体パターン（ランドパターン）の導通検査や各導体パターンの間の絶縁検査を実行可能に構成されている。一方、この種の基板検査装置を用いて、数多くの導体パターンを有する回路基板に対する絶縁検査を行う際の効率を向上させる方法として、１対Ｎ方式の絶縁検査が知られている。この１対Ｎ方式の絶縁検査では、各導体パターンの中から１つの導体パターンを選択し、検査用信号を出力する電源部における低電位および高電位のいずれか一方に選択対象の導体パターンを接続すると共に、選択対象の導体パターンを除く他の全ての導体パターンを同電位として電源部における低電位および高電位の他方に接続して行う検査を、選択対象の１つの導体パターンを変更しつつ行う。この方法で検査を行うことにより、検査回数を大幅に削減することが可能となる。
【０００３】
この場合、上記の絶縁検査を行う際には、一般的に、各導体パターンにおける予め規定された複数の検査ポイントにプローブをそれぞれ接触させた状態で、全てのプローブと電源部との接続および接続解除をスキャナスイッチ等を用いて行うことによって検査用信号の供給を行う。このような構成を採用することで、各導体パターンの導通検査および上記した絶縁検査の双方を行うことが可能となっている。
【先行技術文献】
【特許文献】
【０００４】
【特許文献１】特開２００１−６６３５１号公報（第３−４頁、第１図）
【発明の概要】
【発明が解決しようとする課題】
【０００５】
ところが、上記した従来の基板検査装置には、以下の問題点がある。すなわち、従来の基板検査装置では、回路基板の各導体パターンに設けられている複数の検査ポイントにプローブをそれぞれ接触させ、各プローブの全てを電源部における低電位および高電位のいずれかに接続して絶縁検査を行っている。この場合、数多くの導体パターンを有する回路基板では、検査ポイントの数も多いため、各検査ポイントに接触させるプローブの数、各プローブに接続されているケーブルの数、および各ケーブルに接続されているスキャナスイッチの数もそれぞれ多くなる結果、これらの数多くのプローブ、ケーブルおよびスキャナスイッチの相互間の浮遊容量が大きくなる。したがって、従来の基板検査装置には、このような回路基板に対する絶縁検査を行うときに、検査用信号の供給開始から導体パターン間の電圧が絶縁検査に必要な規定電圧に達するまでの時間が、大きな浮遊容量に起因して長くなり、これによって検査効率が低下するという問題点が存在する。また、上記した浮遊容量が大きいときには、多くの電荷がチャージされることとなるため、チャージされた電荷の放電に起因してスキャナスイッチが故障し易いという問題点も存在する。
【０００６】
本発明は、かかる問題点に鑑みてなされたものであり、検査効率を向上させると共に故障を防止し得る基板検査装置および基板検査方法を提供することを主目的とする。
【課題を解決するための手段】
【０００７】
上記目的を達成すべく請求項１記載の基板検査装置は、複数の導体パターンを有する回路基板の当該各導体パターンにおける予め規定された複数の検査ポイントにそれぞれ接触しているプローブを介しての当該各導体パターンに対する信号出力部からの検査用信号の供給を制御する制御部と、前記プローブを介して前記検査用信号が前記導体パターンに供給されている状態で検出される物理量に基づいて当該導体パターンの導通検査および当該導体パターンの絶縁検査を実行する検査部とを備えた基板検査装置であって、前記制御部は、前記絶縁検査の実行時において、前記導通検査で導通状態が良好と判定された前記導体パターンについては当該導体パターンの前記各検査ポイントにそれぞれ接触している前記各プローブの一部だけを供給対象として当該一部のプローブを介して前記検査用信号を供給させると共に、前記導通検査で導通状態が不良と判定された前記導体パターンについては当該導体パターンの前記各検査ポイントにそれぞれ接触している前記各プローブの全てを供給対象として当該全てのプローブを介して前記検査用信号を供給させる。
【０００８】
また、請求項２記載の基板検査装置は、請求項１記載の基板検査装置において、前記制御部は、前記絶縁検査の実行時において、前記導通検査で導通状態が良好と判定された前記導体パターンの各検査ポイントに接触している各プローブの１つだけを前記供給対象として当該１つのプローブを介して前記検査用信号を供給させる。
【０００９】
また、請求項３記載の基板検査装置は、請求項１または２記載の基板検査装置において、前記制御部は、前記絶縁検査の実行時において、前記各導体パターンの中から選択した１つの導体パターンにおける前記供給対象のプローブを同電位とした状態で前記検査用信号の低電位および高電位の一方に当該プローブを接続させて当該検査用信号を供給させると共に、前記選択対象の導体パターンを除く他の全ての導体パターンにおける前記供給対象のプローブを同電位とした状態で前記低電位および前記高電位の他方に接続させて前記検査用信号を供給させる接続処理を当該選択対象の導体パターンを変更しつつ実行する。
【００１０】
また、請求項４記載の基板検査方法は、複数の導体パターンを有する回路基板の当該各導体パターンにおける予め規定された複数の検査ポイントにそれぞれ接触しているプローブを介しての当該各導体パターンに対する信号出力部からの検査用信号の供給を制御し、前記プローブを介して前記検査用信号が前記導体パターンに供給されている状態で検出される物理量に基づいて当該導体パターンの導通検査および当該導体パターンの絶縁検査を実行する基板検査方法であって、前記絶縁検査の実行時において、前記導通検査で導通状態が良好と判定した前記導体パターンについては当該導体パターンの前記各検査ポイントにそれぞれ接触している前記各プローブの一部だけを供給対象として当該一部のプローブを介して前記検査用信号を供給させると共に、前記導通検査で導通状態が不良と判定した前記導体パターンについては当該導体パターンの前記各検査ポイントにそれぞれ接触している前記各プローブの全てを供給対象として当該全てのプローブを介して前記検査用信号を供給させる。
【００１１】
また、請求項５記載の基板検査方法は、請求項４記載の基板検査方法において、前記絶縁検査の実行時において、前記導通検査で導通状態が良好と判定した前記導体パターンの各検査ポイントに接触している各プローブの１つだけを前記供給対象として当該１つのプローブを介して前記検査用信号を供給させる。
【００１２】
また、請求項６記載の基板検査方法は、請求項４または５記載の基板検査方法において、前記絶縁検査の実行時において、前記各導体パターンの中から選択した１つの導体パターンにおける前記供給対象のプローブを同電位とした状態で前記検査用信号の低電位および高電位の一方に当該プローブを接続させて当該検査用信号を供給させると共に、前記選択対象の導体パターンを除く他の全ての導体パターンにおける前記供給対象のプローブを同電位とした状態で前記低電位および前記高電位の他方に接続させて前記検査用信号を供給させる接続処理を当該選択対象の導体パターンを変更しつつ実行する。
【発明の効果】
【００１３】
請求項１記載の基板検査装置、および請求項４記載の基板検査方法では、絶縁検査の実行時において、導通検査で導通状態が良好と判定された導体パターンについては、その導体パターンの各検査ポイントにそれぞれ接触している各プローブの一部だけを介して導体パターンに検査用信号を供給させる。このため、この基板検査装置および基板検査方法によれば、導体パターンの各検査ポイントに接触している全てのプローブを介して検査用信号を供給させる構成および方法と比較して、供給対象の各プローブの相互間、各プローブに接続されている各ケーブルの相互間、および信号出力部と各ケーブルとの接続を切り替える各スイッチの相互間の浮遊容量を十分に小さく抑えることができる。したがって、この基板検査装置および基板検査方法によれば、導体パターンに対する検査用信号の供給開始から導体パターン間の電圧が絶縁検査に必要な規定電圧に達するまでの時間（浮遊容量に電荷がチャージされるまでに要する時間）を十分に短縮させることができる結果、検査効率を十分に向上させることができる。また、絶縁検査の実行時において、導通検査で導通状態が不良と判定された導体パターンについては、その導体パターンの各検査ポイントにそれぞれ接触しているプローブの全てを介して導体パターンに検査用信号を供給させる。このため、例えば、導体パターンに断線が生じているとしても、その導体パターンの全域に検査用信号を供給させることができるため、導体パターン間の絶縁状態を確実に検査することができる。また、上記した浮遊容量を十分に小さく抑えることができるため、チャージされた電荷を十分に小さく抑えることができる。したがって、この基板検査装置および基板検査方法によれば、チャージされた電荷の放電に起因するスキャナスイッチ等の故障を確実に防止することができる。
【００１４】
また、請求項２記載の基板検査装置、および請求項５記載の基板検査方法では、絶縁検査の実行時において、導通検査で導通状態が良好と判定された導体パターンの各検査ポイントに接触している各プローブの１つだけを介して導体パターンに検査用信号を供給させる。このため、この基板検査装置および基板検査方法によれば、複数のプローブを介して検査用信号を供給させる構成および方法と比較して、浮遊容量をさらに小さく抑えることができる。したがって、この基板検査装置および基板検査方法によれば、検査効率をさらに向上させることができると共に、スキャナスイッチ等の故障をより確実に防止することができる。
【００１５】
また、請求項３記載の基板検査装置、および請求項６記載の基板検査方法では、絶縁検査の実行時において、選択した１つの導体パターンにおける供給対象のプローブを同電位とした状態で検査用信号の低電位および高電位の一方に接続させると共に、選択対象の導体パターンを除く他の全ての導体パターンにおける供給対象のプローブを同電位とした状態で検査用信号の低電位および高電位の他方に接続させる接続処理を選択対象の導体パターンを変更しつつ実行する。つまり、この基板検査装置および基板検査方法では、１対Ｎ方式で絶縁検査を実行する。したがって、この基板検査装置および基板検査方法によれば、１対１方式で絶縁検査を実行する構成および方法と比較して、検査効率を一層向上させることができる。
【図面の簡単な説明】
【００１６】
【図１】基板検査装置１の構成を示す構成図である。
【図２】回路基板１００の構成を示す構成図である。
【図３】基板検査方法を説明する第１の説明図である。
【図４】多面付回路基板２００の構成を示す構成図である。
【図５】基板検査方法を説明する第２の説明図である。
【発明を実施するための形態】
【００１７】
以下、基板検査装置および基板検査方法の実施の形態について、添付図面を参照して説明する。
【００１８】
最初に、基板検査装置の一例としての図１に示す基板検査装置１の構成について説明する。基板検査装置１は、例えば図２に示す複数の導体パターンＰ１〜Ｐ８（以下、区別しないときには「導体パターンＰ」ともいう）を有する回路基板１００における各導体パターンＰの導通状態および絶縁状態を、後述する基板検査方法に従って検査可能に構成されている。具体的には、基板検査装置１は、図１に示すように、基板保持部２、プローブユニット３、移動機構４、スキャナ部５、信号出力部６、検査部７、記憶部８および制御部９を備えて構成されている。
【００１９】
基板保持部２は、保持板と、保持板に取り付けられて回路基板１００の端部を挟み込んで固定するクランプ機構（いずれも図示せず）とを備えて、回路基板１００を保持可能に構成されている。プローブユニット３は、図１に示すように、複数のプローブ３１を備えて治具型に構成されている。この場合、プローブユニット３は、回路基板１００の各導体パターンＰに予め規定されている複数検査ポイントＥ（図２参照）に対してプローブ３１が１つずつ接触するように、プローブ３１の数や配列パターンが規定されている。移動機構４は、制御部９の制御に従い、プローブユニット３を上下方向に移動させることによってプロービングを実行する。
【００２０】
スキャナ部５は、複数のスイッチ（図示せず）を備えて構成され、制御部９の制御に従って各スイッチをオン状態またはオフ状態に移行させることにより、プローブユニット３の各プローブ３１と信号出力部６との接続および接続解除、並びに各プローブ３１と検査部７との接続および接続解除を行う。
【００２１】
信号出力部６は、図１に示すように、電流信号出力回路６１および電圧信号出力回路６２を備えて構成されている。電流信号出力回路６１は、制御部９の制御に従い、検査用電流信号Ｓｉ（検査用信号の一例）を生成して出力する。また、電圧信号出力回路６２は、制御部９の制御に従い、検査用電圧信号Ｓｖ（検査用信号の他の一例：以下、検査用電流信号Ｓｉおよび検査用電圧信号Ｓｖを区別しないときには「検査用信号Ｓ」ともいう）を生成する。
【００２２】
検査部７は、制御部９の制御に従い、プローブユニット３の各プローブ３１を介して検査用電流信号Ｓｉが回路基板１００の導体パターンＰに供給されている状態においてプローブ３１の間（検査ポイントＥの間）に生じる電圧（物理量の一例）を測定して、その測定値に基づいて導体パターンＰの導通状態を検査する導通検査を実行する。また、検査部７は、制御部９の制御に従い、各プローブ３１を介して検査用電圧信号Ｓｖが回路基板１００の各導体パターンＰに供給されている状態において各導体パターンＰの間に流れる電流（物理量の他の一例）を測定して、その測定値に基づいて各導体パターンＰ間の絶縁状態を検査する絶縁検査を実行する。以下、導通検査および絶縁検査を合わせて「導体パターン検査」ともいう。
【００２３】
記憶部８は、制御部９によって実行される信号供給処理において用いられる導体パターンデータＤｐを記憶する。この場合、導体パターンデータＤｐは、回路基板１００における導体パターンＰ毎の検査ポイントＥを特定する情報を含んで構成されている。また、記憶部８は、検査部７によって実行される導通検査および絶縁検査の結果を記憶する。
【００２４】
制御部９は、図外の操作部から出力される操作信号に従って基板検査装置１を構成する各部を制御する。具体的には、制御部９は、移動機構４によるプローブユニット３の移動を制御する。また、制御部９は、検査部７に対して導体パターン検査（導通検査および絶縁検査）を実行させる（実行を指示する）。また、制御部９は、検査部７による導体パターン検査の実行時に信号供給処理を実行する。この信号供給処理では、制御部９は、検査部７によって導体パターン検査としての導通検査が実行されるときには、信号出力部６の電流信号出力回路６１を制御して検査用電流信号Ｓｉを出力させ、検査部７によって導体パターン検査としての絶縁検査が実行されるときには、信号出力部６の電圧信号出力回路６２を制御して検査用電圧信号Ｓｖを出力させる。
【００２５】
また、制御部９は、この信号供給処理において、スキャナ部５を制御することにより、回路基板１００の導体パターンＰの各検査ポイントＥにそれぞれ接触しているプローブユニット３の各プローブ３１と信号出力部６とを接続させてプローブ３１を介しての検査用信号Ｓの供給を制御する。また、この信号供給処理では、制御部９は、検査部７による絶縁検査の実行時において、導通検査で導通状態が良好と判定された導体パターンＰについては導体パターンＰの各検査ポイントＥに接触している各プローブ３１のうちの１つ（「一部」の一例）だけを供給対象として、そのプローブ３１を介して導体パターンＰに検査用電圧信号Ｓｖを供給させる。また、導通検査で導通状態が不良と判定された導体パターンＰについては導体パターンＰの各検査ポイントＥに接触しているプローブ３１の全てを供給対象として、それらのプローブ３１を介して導体パターンＰに検査用電圧信号Ｓｖを供給させる。
【００２６】
次に、基板検査装置１を用いて回路基板１００における各導体パターンＰの間の絶縁状態および各導体パターンＰの導通状態を検査する基板検査方法、およびその際の基板検査装置１の動作について、図面を参照して説明する。
【００２７】
まず、検査対象の回路基板１００を基板保持部２における保持板（図示せず）に載置し、次いで、基板保持部２のクランプ機構（図示せず）で回路基板１００の端部を挟み込んで固定することにより、回路基板１００を基板保持部２に保持させる。続いて、図外の操作部を用いて検査開始操作を行う。この際に、制御部９が、操作部から出力された操作信号に従い、移動機構４を制御してプローブユニット３を下向きに移動させる。これにより、プローブユニット３の各プローブ３１の先端部が各導体パターンＰの各接続点Ｅにそれぞれ接触（プロービング）させられる。また、制御部９は、記憶部８から導体パターンデータＤｐを読み出す。
【００２８】
次いで、制御部９は、検査部７に対して導体パターン検査としての導通検査の実行を指示する。また、制御部９は、信号供給処理を実行する。この信号供給処理では、制御部９は、信号出力部６の電流信号出力回路６１を制御して検査用電流信号Ｓｉを出力させる。また、制御部９は、読み出した導体パターンデータＤｐに基づき、回路基板１００に設けられている導体パターンＰを特定し、そのうちの１つの導体パターンＰ（例えば、図２に示す導体パターンＰ１）を選択する。続いて、制御部９は、導体パターンデータＤｐに基づき、導体パターンＰ１の検査ポイントＥ１〜Ｅ３（図３参照）を特定する。
【００２９】
次いで、制御部９は、スキャナ部５を制御して、検査ポイントＥ１〜Ｅ３のうちの２つ検査ポイントＥ（例えば、検査ポイントＥ１，Ｅ２）にそれぞれ接触している各プローブ３１の一方を検査用電流信号Ｓｉの低電位（信号出力部６の電流信号出力回路６１における低電位側の出力端子）に接続させると共に、各プローブ３１の他方を検査用電流信号Ｓｉの高電位（電流信号出力回路６１の高電位側の出力端子）に接続させる。これにより、検査ポイントＥ１，Ｅ２間に検査用電流信号Ｓｉが供給される。
【００３０】
続いて、検査部７は、制御部９の指示に従って導通検査を実行する。この導通検査では、検査部７は、検査用電流信号Ｓｉの供給に伴って検査ポイントＥ１，Ｅ２の間に生じる電圧を測定する。次いで、検査部７は、電圧の測定値および検査用電流信号Ｓｉの電流値に基づいて抵抗値を算出し、その抵抗値と基準値とを比較して検査ポイントＥ１，Ｅ２間の導通状態を検査する。この場合、図３に示すように、検査ポイントＥ１，Ｅ２間に断線がなく正常に繋がっているときには、抵抗値が基準値以下となるため、検査部７は、検査ポイントＥ１，Ｅ２間の導通状態が良好であるとの判定をする。
【００３１】
続いて、制御部９は、検査ポイントＥ１，Ｅ２に代えて検査ポイントＥ２，Ｅ３にそれぞれ接触しているプローブ３１を検査用電流信号Ｓｉの低電位および高電位にそれぞれ接続させる。また、検査部７は、導通検査を実行して、検査ポイントＥ２，Ｅ３間の導通状態の良否を判定する。この場合、図３に示すように、検査ポイントＥ２，Ｅ３間に断線がなく正常に繋がっているときには、抵抗値が基準値以下となるため、検査部７は、検査ポイントＥ２，Ｅ３間の導通状態が良好であるとの判定をする。
【００３２】
次いで、制御部９は、導通検査対象の導体パターンＰを他の導体パターンＰ（例えば、図３に示す導体パターンＰ２）に変更して信号供給処理を実行し、検査部７は、導体パターンＰ２についての導通検査を実行する。この場合、同図に示すように、導体パターンＰ２の検査ポイントＥ５，Ｅ６間に断線が生じているときには、抵抗値が基準値を超えるため、検査部７は、検査ポイントＥ５，Ｅ６間の導通状態が不良であるとの判定をする。
【００３３】
次いで、制御部９は、導通検査対象の導体パターンＰを他の導体パターンＰに順次変更して信号供給処理を実行し、検査部７は、導通検査対象の導体パターンＰが変更される度に、その導体パターンＰについての導通検査を順次実行する。また、制御部９は、検査部７による導通検査の結果を記憶部８に記憶させる。
【００３４】
続いて、制御部９は、全ての導体パターンＰについての導通検査が終了したときには、検査部７に対して導体パターン検査としての絶縁検査（一例として、１対Ｎ方式での絶縁検査）の実行を指示すると共に、信号供給処理を実行する。この場合、制御部９は、信号供給処理において、信号出力部６の電圧信号出力回路６２を制御して検査用電圧信号Ｓｖを出力させる。
【００３５】
次いで、制御部９は、記憶部８に記憶されている導通検査の検査結果に基づき、各導体パターンＰに対する検査用電圧信号Ｓｖの供給に用いるプローブ３１（供給対象のプローブ３１）を導体パターンＰ毎に選定する。具体的には、制御部９は、まず、導通検査の検査結果に基づき、各導体パターンＰの導通状態が導通検査において良好と判定されたか否かを判別する。
【００３６】
この場合、導通状態が良好と判定された導体パターンＰについては、その導体パターンＰにおける各検査ポイントＥに接触している全てのプローブ３１を供給対象として用いることなく、これらのプローブ３１の一部だけを供給対象として用いることで、その導体パターンＰの全域に検査用電圧信号Ｓｖを供給することができる。このため、導通状態が良好と判定された導体パターンＰについては、その導体パターンＰの各検査ポイントＥに接触している各プローブ３１のうちの一部（例えば１つ）だけを供給対象として選定する。具体的には、図３に示すように、断線が発生していない導体パターンＰ１については、制御部９は、検査ポイントＥ１〜Ｅ３に接触しているプローブ３１のいずれか１つだけを供給対象として選定する。
【００３７】
一方、導通状態が不良と判定された導体パターンＰについては、その導体パターンＰにおける各検査ポイントＥに接触している全てのプローブ３１を供給対象としなければ、その導体パターンＰの全域に検査用電圧信号Ｓｖを供給することができないおそれがある。具体的には、図３に示すように、断線が発生している導体パターンＰ２については、例えば検査ポイントＥ６に接触しているプローブ３１だけを供給対象として検査用電圧信号Ｓｖを供給したとしても、導体パターンＰ１の全域に検査用電圧信号Ｓｖを供給することができないため、同図に示す導体パターンＰ１，Ｐ２間の短絡（絶縁状態の不良）を検出することができないこととなる。このため、導通状態が不良と判定された導体パターンＰについては、制御部９は、その導体パターンＰの各検査ポイントＥに接触しているプローブ３１の全てを供給対象として選定する。
【００３８】
続いて、各導体パターンＰについての供給対象のプローブ３１の選定が終了したときには、制御部９は、回路基板１００における各導体パターンＰの中から１つの導体パターンＰ（例えば、図２に示す導体パターンＰ１）を選択する。次いで、制御部９は、選択した導体パターンＰ１における供給対象のプローブ３１（いずれか１つのプローブ３１）を検査用電圧信号Ｓｖの低電位および高電位のいずれか一方の電位（電圧信号出力回路６２における低電位側の出力端子および高電位側の出力端子のいずれか一方）に接続させる。また、制御部９は、選択対象の導体パターンＰ１を除く他の全ての導体パターンＰ（図２における導体パターンＰ２〜Ｐ８）における供給対象のプローブ３１（導体パターンＰ２については全てプローブ３１、導体パターンＰ３〜Ｐ８については導体パターンＰ毎に１つのプローブ３１）を互いに同電位とした状態で検査用信号Ｓの低電位および高電位の他方の電位に接続させる（接続処理の実行）。これにより、各プローブ３１を介して導体パターンＰ１と導体パターンＰ２〜Ｐ８との間に検査用電圧信号Ｓｖが供給される。
【００３９】
続いて、検査部７は、制御部９による絶縁検査の実行指示（制御の制御）に従い、絶縁検査を実行する。この絶縁検査では、検査部７は、検査用電圧信号Ｓｖの供給に伴って導体パターンＰ１と導体パターンＰ２〜Ｐ８との間に流れる電流を測定する。次いで、検査部７は、電流の測定値および検査用電圧信号Ｓｖの電圧値に基づいて抵抗値を算出し、その抵抗値と基準値とを比較して導体パターンＰ１と導体パターンＰ２〜Ｐ８との間の絶縁状態を検査する。この場合、検査部７は、抵抗値が基準値以上のときには導体パターンＰ１と導体パターンＰ２〜Ｐ８との間の絶縁状態が良好であるとの判定をし、抵抗値が基準値未満のときには導体パターンＰ１と導体パターンＰ２〜Ｐ８との間の絶縁状態が不良である（短絡が発生している）との判定をする（この例では、絶縁状態が不良であるとの判定をする）。
【００４０】
上記したように、各プローブ３１のうちの１つ（一部）だけを供給対象として信号出力部６（電圧信号出力回路６２）に接続させることで、供給対象の各プローブ３１の相互間、各プローブ３１に接続されている図外の各ケーブルの相互間、およびスキャナ部５を構成する各スキャナスイッチの相互間の浮遊容量が小さく抑えられる。このため、導体パターンＰに対する検査用信号Ｓの供給開始から導体パターンＰ間の電圧が絶縁検査に必要な規定電圧に達するまでの時間が十分に短縮される。また、上記した浮遊容量が十分に小さく抑えられるため、チャージされた電荷の放電に起因するスキャナスイッチ等の故障が防止される。
【００４１】
続いて、制御部９は、導体パターンＰ１に代えて導体パターンＰ２を選択して、接続処理を実行する。この場合、制御部９は、導体パターンＰ２における供給対象のプローブ３１（全てのプローブ３１）を検査用電圧信号Ｓｖの低電位および高電位のいずれか一方の電位に接続させる。また、制御部９は、導体パターンＰ２を除く全ての導体パターンＰ１，Ｐ３〜Ｐ８における供給対象のプローブ３１（導体パターンＰ毎に１つのプローブ３１）を検査用電圧信号Ｓｖにおける他方の電位に接続させる。これにより、各プローブ３１を介して導体パターンＰ２と導体パターンＰ１，Ｐ３〜Ｐ８との間に検査用電圧信号Ｓｖが供給される。また、検査部７は、絶縁検査を実行して、導体パターンＰ２と導体パターンＰ１，Ｐ３〜Ｐ８との間の絶縁状態の良否を判定する。以下、制御部９は、選択対象の１つの導体パターンＰを変更しつつ信号供給処理を実行し、検査部７は、選択対象の１つの導体パターンＰが変更される度に絶縁検査を実行する。また、制御部９は、検査部７による絶縁検査の結果を記憶部８に記憶させる。
【００４２】
このように、この基板検査装置１および基板検査方法では、絶縁検査の実行時において、導通検査で導通状態が良好と判定された導体パターンＰについては、その導体パターンＰの各検査ポイントＥにそれぞれ接触している各プローブ３１の一部（例えば、１つ）だけを介して導体パターンＰに検査用電圧信号Ｓｖを供給させる。このため、この基板検査装置１および基板検査方法によれば、導体パターンＰの各検査ポイントＥに接触している全てのプローブ３１を介して検査用電圧信号Ｓｖを供給させる構成および方法と比較して、供給対象の各プローブ３１の相互間、各プローブ３１に接続されている各ケーブルの相互間、およびスキャナ部５を構成する各スキャナスイッチの相互間の浮遊容量を十分に小さく抑えることができる。したがって、この基板検査装置１および基板検査方法によれば、導体パターンＰに対する検査用信号Ｓの供給開始から導体パターンＰ間の電圧が絶縁検査に必要な規定電圧に達するまでの時間（浮遊容量に電荷がチャージされるまでに要する時間）を十分に短縮させることができる結果、検査効率を十分に向上させることができる。また、絶縁検査の実行時において、導通検査で導通状態が不良と判定された導体パターンＰについては、その導体パターンＰの各検査ポイントＥにそれぞれ接触しているプローブ３１の全てを介して導体パターンＰに検査用電圧信号Ｓｖを供給させる。このため、例えば、導体パターンＰに断線が生じているとしても、その導体パターンＰの全域に検査用電圧信号Ｓｖを供給させることができるため、導体パターンＰ間の絶縁状態を確実に検査することができる。また、上記した浮遊容量を十分に小さく抑えることができるため、チャージされた電荷を十分に小さく抑えることができる。したがって、この基板検査装置１および基板検査方法によれば、チャージされた電荷の放電に起因するスキャナスイッチ等の故障を確実に防止することができる。
【００４３】
また、この基板検査装置１および基板検査方法では、絶縁検査の実行時において、導通検査で導通状態が良好と判定された導体パターンＰの各検査ポイントＥに接触している各プローブ３１の１つだけを介して導体パターンＰに検査用電圧信号Ｓｖを供給させる。このため、この基板検査装置１および基板検査方法によれば、複数のプローブ３１を介して検査用電圧信号Ｓｖを供給させる構成および方法と比較して、浮遊容量をさらに小さく抑えることができる。したがって、この基板検査装置１および基板検査方法によれば、検査効率をさらに向上させることができると共に、スキャナスイッチ等の故障をより確実に防止することができる。
【００４４】
また、この基板検査装置１および基板検査方法では、絶縁検査の実行時において、選択した１つの導体パターンＰにおける供給対象のプローブ３１を同電位とした状態で検査用電圧信号Ｓｖの低電位および高電位の一方に接続させると共に、選択対象の導体パターンＰを除く他の全ての導体パターンＰにおける供給対象のプローブ３１を同電位とした状態で検査用電圧信号Ｓｖの低電位および高電位の他方に接続させる接続処理を選択対象の導体パターンＰを変更しつつ実行する。つまり、この基板検査装置１および基板検査方法では、１対Ｎ方式で絶縁検査を実行する。したがって、この基板検査装置１および基板検査方法によれば、１対１方式で絶縁検査を実行する構成および方法と比較して、検査効率を一層向上させることができる。
【００４５】
なお、基板検査装置および基板検査方法は、上記した構成および方法に限定されない。例えば、絶縁検査の実行時において、導通検査で導通状態が良好と判定された導体パターンＰの各検査ポイントＥに接触している各プローブ３１のうちの１つだけを介して検査用電圧信号Ｓｖを供給させる例について上記したが、これらのプローブ３１の一部である限り、任意の複数（２つ以上）のプローブ３１を介して検査用電圧信号Ｓｖを供給させる構成および方法を採用することができる。
【００４６】
また、１対Ｎ方式で絶縁検査を実行する際に適用した例について上記したが、１対１方式で絶縁検査を実行する際に適用することができ、この場合においても、上記した各効果を実現することができる。また、Ｍ個の導体パターンＰを２つのグループに分けて各グループの導体パターンＰを検査用電圧信号Ｓｖの低電位および高電位にそれぞれ接続して行う絶縁検査をグループ分けの組み合わせを変更しつつＮ回（Ｎは（ｌｏｇ２Ｍ）以上であって（ｌｏｇ２Ｍ）に最も近い整数）実行するマルチプル方式での絶縁検査を実行する際に適用することもでき、この場合においても、上記した各効果を実現することができる。
【００４７】
また、上記した回路基板１００に代えて、図４に示す多面付回路基板（多面取回路基板）２００を検査対象とする場合において、この基板検査装置１および基板検査方法を適用することができる。この場合、回路基板２００は、同図に示すように、複数の導体パターンＰを有する同種類の複数の単位基板（この例では、９つの単位基板Ｆａ〜Ｆｉ）を並べて全体として１枚に形成されている。
【００４８】
このように構成された多面付回路基板２００を検査する場合においても、上記したように、絶縁検査の実行時において、導通検査で導通状態が良好と判定された導体パターンＰ（例えば、図５に示す導体パターンＰａ１）については各検査ポイントＥ（同図に示す検査ポイントＥａ１〜Ｅａ３）に接触している各プローブ３１の一部（例えば、１つ）だけを介して検査用電圧信号Ｓｖを供給させることで、検査効率を十分に向上させることができると共に、スキャナスイッチ等の故障を確実に防止することができる。
【００４９】
また、このように構成された多面付回路基板２００を検査する場合においても、上記したように、導通検査で導通状態が不良と判定された導体パターンＰ（例えば、図５に示す導体パターンＰａ２）については各検査ポイントＥ（同図に示す検査ポイントＥａ４〜Ｅａ６）に接触しているプローブ３１の全てを介して検査用電圧信号Ｓｖを供給させることで、その導体パターンＰに断線が生じているとしても、導体パターンＰの全域に検査用電圧信号Ｓｖを供給させることができるため、導体パターンＰ間の絶縁状態を確実に検査することができる。
【符号の説明】
【００５０】
１  基板検査装置
５  スキャナ部
６  信号出力部
７  検査部
９  制御部
３１  プローブ
６１  電流信号出力回路
６２  電圧信号出力回路
１００  回路基板
２００  多面付回路基板
Ｅ１〜Ｅ６，Ｅａ１〜Ｅａ６  検査ポイント
Ｐ１〜Ｐ８，Ｐａ２，Ｐａ１  導体パターン
Ｓ  検査用信号
Ｓｉ  検査用電流信号
Ｓｖ  検査用電圧信号
【図１】
2014202706.tif 000003
【図２】
2014202706.tif 000004
【図３】
2014202706.tif 000005
【図４】
2014202706.tif 000006
【図５】
2014202706.tif 000007